(57)【特許請求の範囲】
【請求項１】
第１の送信ポイントのためのワイヤレス通信の方法であって、
スケジューラによって、前記第１の送信ポイントによってサービスされているユーザ機器（ＵＥ）のためのダウンリンク(ＤＬ)許可を含む第１のＤＬ制御チャネルを構成することであって、この構成が、第２の送信ポイントによってサービスされる少なくとも１つの被干渉ＵＥによる前記第１のＤＬ制御チャネルに含まれる前記ＤＬ許可の復号を可能にするものである、構成することと、
前記第１のＤＬ制御チャネルを送信することと
を備え、
前記第１のＤＬ制御チャネルを前記構成することは、前記第１のＤＬ制御チャネルのために第１の数のリソースを割り振ることを備え、リソースの前記第１の数は、第２のＤＬ制御チャネルのために前記第２の送信ポイントによって前記少なくとも１つの被干渉ＵＥに割り振られたリソースの第２の数よりも大きい、方法。
【請求項２】
前記第１の送信ポイントと前記第２の送信ポイントとは同じセル識別子（ＣＩＤ）を共有する、請求項１に記載の方法。
【請求項３】
前記第１のＤＬ制御チャネルを前記構成することは、前記少なくとも１つの被干渉ＵＥによる前記第１のＤＬ制御チャネルの検出を可能にするために、前記少なくとも１つの被干渉ＵＥの１つまたは複数の無線状態に基づいて前記第１のＤＬ制御チャネルの送信電力を増加させることを備え、
前記送信することは、前記増加した送信電力を用いて前記第１のＤＬ制御チャネルを送信することを備える、請求項１に記載の方法。
【請求項４】
前記第１のＤＬ制御チャネルを前記構成することは、前記第１のＤＬ制御チャネルのために、前記少なくとも１つの被干渉ＵＥによって監視される探索空間中に含まれるリソースを割り振ることを備え、
特に、前記第１のＤＬ制御チャネルのためにリソースを前記割り振ることは、選択された探索空間を監視するように割り当てられ得るＵＥを選択することをさらに備える、請求項１に記載の方法。
【請求項５】
前記第１の送信ポイントによってサービスされている前記ＵＥのための第１の物理ダウンリンク共有チャネル（ＰＤＳＣＨ）を構成することであって、前記第１のＰＤＳＣＨは、前記第２の送信ポイントによってサービスされている前記少なくとも１つの被干渉ＵＥのための第２のＰＤＳＣＨのリソースと実質的に整合されたリソースを備える、構成することと、
前記第１のＰＤＳＣＨを送信することと
をさらに備える、請求項１に記載の方法。
【請求項６】
前記第１のＤＬ制御チャネルに含まれる前記ＤＬ許可は、前記第２の送信ポイントによってサービスされている前記少なくとも１つの被干渉ＵＥのための第２の物理ダウンリンク共有チャネル（ＰＤＳＣＨ）に干渉する第１のＰＤＳＣＨに対応する、請求項１に記載の方法、
または、前記第２の送信ポイントによってサービスされている前記少なくとも１つの被干渉ＵＥが、前記第１の送信ポイントによってサービスされている前記ＵＥの第１の物理ダウンリンク共有チャネル（ＰＤＳＣＨ）からの干渉を受けるかどうかを決定することをさらに備える、請求項１に記載の方法、
または、前記第２の送信ポイントによってサービスされている前記少なくとも１つのＵＥが、前記第１の送信ポイントによってサービスされている前記ＵＥのための前記第１のＤＬ制御チャネルを復号する能力を備えると決定することをさらに備える、請求項１に記載の方法、
または、前記第１のＤＬ制御チャネルは拡張物理ダウンリンク制御チャネル（ＥＰＤＣＣＨ）であり、前記構成することは、前記第１の送信ポイントによってサービスされている前記ＵＥの第１の探索空間を、前記第２の送信ポイントによってサービスされている前記少なくとも１つのＵＥの第２の探索空間と同じであるように構成することを備える、請求項１に記載の方法、
または、前記第１のＤＬ制御チャネルは拡張物理ダウンリンク制御チャネル（ＥＰＤＣＣＨ）であり、前記構成することは、前記第２の送信ポイントによって使用される第２の仮想セル識別情報（ＶＣＩＤ）と同じである第１のＶＣＩＤを用いて送信されるように前記ＥＰＤＣＣＨを構成することを備える、請求項１に記載の方法。
【請求項７】
ユーザ機器（ＵＥ）のためのワイヤレス通信の方法であって、
サービング送信ポイントと通信することと、
干渉送信ポイントによってサービスされる第２のＵＥのための前記干渉送信ポイントからのダウンリンク（ＤＬ）許可を含む第１のＤＬ制御チャネルを復号することであって、前記第１のＤＬ制御チャネルは、スケジューラによって、前記ＵＥによる前記第１のＤＬ制御チャネルに含まれる前記ＤＬ許可の前記復号を可能にするように構成されている、復号することと、ここにおいて前記第１のＤＬ制御チャネルは、前記第１のＤＬ制御チャネルのための第１の数のリソースの割り振りを備え、リソースの前記第１の数は、第２のＤＬ制御チャネルのために前記サービング送信ポイントによって前記ＵＥに割り振られたリソースの第２の数よりも大きい、
前記復号された第１のＤＬ制御チャネルに基づいて、前記ＤＬ許可による前記干渉送信ポイントから前記第２のＵＥへの送信のための干渉抑圧を行うことと
を備える、方法。
【請求項８】
ワイヤレス通信のための第１の送信ポイントであって、
メモリと、
前記メモリに結合され、
前記第１の送信ポイントによってサービスされているユーザ機器（ＵＥ）のためのダウンリンク（ＤＬ）許可を含む第１のＤＬ制御チャネルを構成するように構成されたスケジューラを実装することであって、この構成は、第２の送信ポイントによってサービスされている少なくとも１つの被干渉ＵＥによる前記第１のＤＬ制御チャネルに含まれる前記ＤＬ許可の復号を可能にするものである、実装することと、
前記第１のＤＬ制御チャネルを送信することと
を行うように構成される少なくとも１つのプロセッサと
を備え、
前記第１のＤＬ制御チャネルを前記構成することは、前記第１のＤＬ制御チャネルのために第１の数のリソースを割り振ることを備え、リソースの前記第１の数は、第２のＤＬ制御チャネルのために前記第２の送信ポイントによって前記少なくとも１つの被干渉ＵＥに割り振られたリソースの第２の数よりも大きい、第１の送信ポイント。
【請求項９】
前記第１の送信ポイントと前記第２の送信ポイントとは同じセル識別子（ＣＩＤ）を共有する、請求項８に記載の第１の送信ポイント。
【請求項１０】
前記少なくとも１つのプロセッサは、前記少なくとも１つの被干渉ＵＥによる前記ＤＬ制御チャネルの検出を可能にするために、前記少なくとも１つのＵＥの１つまたは複数の無線状態に基づいて前記第１のＤＬ制御チャネルの送信電力を増加させることによって、前記第１のＤＬ制御チャネルを構成するように構成され、
前記少なくとも１つのプロセッサは、前記増加した送信電力を用いて前記第１のＤＬ制御チャネルを送信することによって前記第１のＤＬ制御チャネルを送信するように構成される、請求項８に記載の第１の送信ポイント。
【請求項１１】
前記少なくとも１つのプロセッサは、前記第１のＤＬ制御チャネルのために、前記少なくとも１つの被干渉ＵＥによって監視される探索空間中に含まれるリソースを割り振ることによって、前記第１のＤＬ制御チャネルを構成するように構成され、
特に、前記少なくとも１つのプロセッサは、選択された探索空間を監視するように割り当てられ得るＵＥを選択することによって、前記第１のＤＬ制御チャネルのためにリソースを割り振るように構成される、請求項８に記載の第１の送信ポイント。
【請求項１２】
前記少なくとも１つのプロセッサは、前記第１の送信ポイントによってサービスされている前記ＵＥのための第１の物理ダウンリンク共有チャネル（ＰＤＳＣＨ）を構成することであって、前記第１のＰＤＳＣＨは、前記第２の送信ポイントによってサービスされている前記少なくとも１つの被干渉ＵＥのための第２のＰＤＳＣＨのリソースと実質的に整合されたリソースを備える、構成することと、
前記第１のＰＤＳＣＨを送信することと
を行うようにさらに構成される、請求項８に記載の第１の送信ポイント。
【請求項１３】
前記第１のＤＬ制御チャネルに含まれる前記ＤＬ許可は、前記第２の送信ポイントによってサービスされている前記少なくとも１つの被干渉ＵＥのための第２の物理ダウンリンク共有チャネル（ＰＤＳＣＨ）に干渉する第１のＰＤＳＣＨに対応する、請求項８に記載の第１の送信ポイント、または、
前記少なくとも１つのプロセッサは、前記第２の送信ポイントによってサービスされている前記少なくとも１つの被干渉ＵＥが、前記第１の送信ポイントによってサービスされている前記ＵＥの第１の物理ダウンリンク共有チャネル（ＰＤＳＣＨ）からの干渉を受けるかどうかを決定するようにさらに構成される、請求項８に記載の第１の送信ポイント、または、
前記少なくとも１つのプロセッサは、前記第２の送信ポイントによってサービスされている前記少なくとも１つの被干渉ＵＥが、前記第１の送信ポイントによってサービスされている前記ＵＥのための前記第１のＤＬ制御チャネルを復号する能力を備えると決定するようにさらに構成される、請求項８に記載の第１の送信ポイント、または、
前記第１のＤＬ制御チャネルは拡張物理ダウンリンク制御チャネル（ＥＰＤＣＣＨ）であり、前記構成することは、前記第１の送信ポイントによってサービスされている前記ＵＥの第１の探索空間を、前記第２の送信ポイントによってサービスされている前記少なくとも１つの被干渉ＵＥの第２の探索空間と同じであるように構成することを備える、請求項８に記載の第１の送信ポイント、または、
前記第１のＤＬ制御チャネルは拡張物理ダウンリンク制御チャネル（ＥＰＤＣＣＨ）であり、前記構成することは、前記第２の送信ポイントによって使用される第２の仮想セル識別情報（ＶＣＩＤ）と同じである第１のＶＣＩＤを用いて送信されるように前記ＥＰＤＣＣＨを構成することを備える、請求項８に記載の第１の送信ポイント。
【請求項１４】
ワイヤレス通信のためのユーザ機器（ＵＥ）であって、
メモリと、
前記メモリに結合されて、
サービング送信ポイントと通信することと、
干渉送信ポイントによってサービスされる第２のＵＥのための前記干渉送信ポイントからのダウンリンク（ＤＬ）許可を含む第１のＤＬ制御チャネルを復号することであって、前記第１のＤＬ制御チャネルは、スケジューラによって、前記ＵＥによる前記第１のＤＬ制御チャネルに含まれる前記ＤＬ許可の前記復号を可能にするように構成され、前記第１のＤＬ制御チャネルは、前記第１のＤＬ制御チャネルのための第１の数のリソースの割り振りを備え、リソースの前記第１の数は、第２のＤＬ制御チャネルのために前記サービング送信ポイントによって前記ＵＥに割り振られたリソースの第２の数よりも大きい、復号することと、
前記復号された第１のＤＬ制御チャネルに基づいて、前記ＤＬ許可による前記干渉送信ポイントから前記第２のＵＥへの送信のための干渉抑圧を行うことと
をするように構成される、少なくとも１つのプロセッサと
を備える、ＵＥ。
【請求項１５】
コンピュータ上で実行されたとき、請求項１〜請求項７のうちのいずれか一項に記載の方法を行うためのコンピュータ可読命令を備えるコンピュータプログラム。
【発明の詳細な説明】
【関連出願の相互参照】
【０００１】
[0001]  本出願は、その全体が参照により本明細書に明確に組み込まれる、２０１３年１０月７日に出願された「JOINT PDCCH/PDSCH SCHEDULING TECHNIQUES TO ENHANCE PDSCH INTERFERENCE CANCELLATION」と題する米国仮出願第６１／８８７，９１７号、および２０１４年１０月６日に出願された「JOINT PDCCH/PDSCH SCHEDULING TECHNIQUES TO ENHANCE PDSCH INTERFERENCE CANCELLATION」と題する米国非仮出願第１４／５０７，７９１号の利益を主張する。
【技術分野】
【０００２】
[0002]  本開示は、一般に通信システムに関し、より詳細には、ＰＤＳＣＨ干渉消去を向上させるためのジョイントＰＤＣＣＨ／ＰＤＳＣＨスケジューリング技法に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、また、ダウンリンク（ＤＬ）上でＯＦＤＭＡを使用し、アップリンク（ＵＬ）上でＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、方法、コンピュータプログラム製品、および装置が提供される。本装置は、第１の送信ポイントによってサービスされているユーザ機器（ＵＥ）のための第１のダウンリンク（ＤＬ）制御チャネルを構成することと、構成が、第２の送信ポイントによってサービスされている少なくとも１つのＵＥによる第１のＤＬ制御チャネルの復号を可能にする、第１のＤＬ制御チャネルを送信することとを行う。
【図面の簡単な説明】
【０００６】
【図１】ネットワークアーキテクチャの一例を示す図である。
【図２】アクセスネットワークの一例を示す図である。
【図３】ＬＴＥにおけるＤＬフレーム構造の一例を示す図である。
【図４】ＬＴＥにおけるＵＬフレーム構造の一例を示す図である。
【図５】ユーザプレーンおよび制御プレーンのための無線プロトコルアーキテクチャの一例を示す図である。
【図６】アクセスネットワーク中の発展型ノードＢおよびユーザ機器の一例を示す図である。
【図７】異種ネットワーク中の範囲拡大セルラー領域を示す図である。
【図８】通信ネットワークを示す図である。
【図９】ＰＤＳＣＨスケジュール拡張を示す図である。
【図１０】ジョイントＰＤＣＣＨ／ＰＤＳＣＨスケジューリング拡張を示す図である。
【図１１】ワイヤレス通信の方法のフローチャートである。
【図１２】ワイヤレス通信の方法のフローチャートである。
【図１３】例示的な装置における異なるモジュール／手段／構成要素間のデータフローを示す概念データフロー図である。
【図１４】処理システムを採用する装置のためのハードウェア実装形態の一例を示す図である。
【図１５】例示的な装置における異なるモジュール／手段／構成要素間のデータフローを示す概念データフロー図である。
【図１６】処理システムを採用する装置のためのハードウェア実装形態の一例を示す図である。
【発明を実施するための形態】
【０００７】
[0022]  添付の図面に関して以下に記載する発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素がブロック図の形式で示される。
【０００８】
[0023]  次に、様々な装置および方法に関して電気通信システムのいくつかの態様を提示する。これらの装置および方法を、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【０００９】
[0024]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を行うように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0025]  従って、１つまたは複数の例示的な実施形態では、説明する機能が、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定でなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１１】
[0026]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続できるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0027]  Ｅ−ＵＴＲＡＮは発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（例えば、Ｘ２インターフェース）を介して他のｅＮＢ１０８に接続され得る。ｅＮＢ１０６は、基地局、ノードＢ、アクセスポイント、送信ポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（例えば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0028]  ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。全てのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振り並びに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（例えば、１０６、１０８）にＭＢＭＳトラフィックを配信するために使用され得、セッション管理（開始／停止）と、ｅＭＢＭＳ関係の課金情報を収集することとを担当し得る。
【００１４】
[0029]  図２は、ＬＴＥネットワークアーキテクチャにおけるアクセスネットワーク２００の一例を示す図である。この例では、アクセスネットワーク２００がいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々該当するセル２０２に割り当てられ、セル２０２中の全てのＵＥ２０６にＥＰＣ１１０へのアクセスポイントを与えるように構成される。アクセスネットワーク２００のこの例では集中コントローラがないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、全ての無線関係機能を担当する。ｅＮＢは、１つまたは複数の（例えば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用されることがある。
【００１５】
[0030]  アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、並びに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００１６】
[0031]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００１７】
[0032]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0033]  以下の詳細な説明では、アクセスネットワークの様々な態様が、ＤＬ上でＯＦＤＭをサポートするＭＩＭＯシステムに関して説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（例えば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0034]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックが、周波数領域において１２個の連続するサブキャリアを含んでおり、各ＯＦＤＭシンボル中にノーマルサイクリックプレフィックスがある場合、時間領域において７個の連続するＯＦＤＭシンボルを含んでおり、リソース要素は合計８４個になる。拡張サイクリックプレフィックスの場合、リソースブロックは、時間領域において６個の連続するＯＦＤＭシンボルを含んでおり、リソース要素は合計７２個になる。Ｒ３０２、３０４として示されるリソース要素のうちのいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。従って、ＵＥが受信するリソースブロックが多いほど、また変調方式が高いほど、ＵＥのデータレートは高くなる。
【００２０】
[0035]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれない全てのリソースブロックを含み得る。ＵＬフレーム構造は、データセクション中の連続サブキャリアの全てを単一のＵＥに割り当てることを可能にし得る連続サブキャリアを含むデータセクションを生じる。
【００２１】
[0036]  ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0037]  初期システムアクセスを行い、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送できない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0038]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という３つのレイヤとともに示されている。レイヤ１（Ｌ１レイヤ）は最下位レイヤであり、様々な物理レイヤ信号処理機能を実装する。Ｌ１レイヤは本明細書で物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0039]  ユーザプレーンでは、Ｌ２レイヤ５０８が、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含めてＬ２レイヤ５０８の上にいくつかの上位レイヤを有し得る。
【００２５】
[0040]  ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（例えば、リソースブロック）を割り振ることを担当する。ＭＡＣサブレイヤ５１０はまたＨＡＲＱ動作を担当する。
【００２６】
[0041]  制御プレーンで、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（例えば、無線ベアラ）を取得することと、ｅＮＢとＵＥとの間のＲＲＣシグナリングを使用して下位レイヤを構成することとを担当する。
【００２７】
[0042]  図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２８】
[0043]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（例えば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、並びに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のために該当する空間ストリームでＲＦキャリアを変調し得る。
【００２９】
[0044]  ＵＥ６５０において、各受信機６５４ＲＸは、それの該当するアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を行い得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３０】
[0045]  コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９が、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上の全てのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0046]  ＵＬでは、データソース６６７が、コントローラ／プロセッサ６５９に上位レイヤパケットを与えるために使用される。データソース６６７は、Ｌ２レイヤの上の全てのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００３２】
[0047]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは送信のために該当する空間ストリームでＲＦキャリアを変調し得る。
【００３３】
[0048]  ＵＬ送信は、ＵＥ６５０における受信機機能に関して説明した方法と同様の方法でｅＮＢ６１０において処理される。各受信機６１８ＲＸは、それの該当するアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0049]  コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５が、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0050]  図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって行われる干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることが可能になる。
【００３６】
[0051]  （サービングｅＮＢとも呼ばれる）サービングセルによって現在サービスされているＵＥは、（干渉セルまたは干渉ｅＮＢとも呼ばれる）ネイバーセルのダウンリンク制御チャネル（例えば、物理ダウンリンク制御チャネル（ＰＤＣＣＨ：physical downlink control channel））を復号するように構成され得る。例えば、ＵＥは、ダウンリンク許可を決定するためにＰＤＣＣＨを復号し得る。ＵＥによるネイバーセルのＰＤＣＣＨの復号はＵＥにとって有益であり得る。例えば、ＵＥはネイバーセルのＰＤＳＣＨ干渉特性（例えば、リソースボック（ＲＢ）割振り、変調フォーマット、空間方式など）を決定し得る。ＵＥは、様々な種類のＰＤＳＣＨ干渉抑圧（例えば、コードワードレベルＰＤＳＣＨ干渉消去（ＰＤＳＣＨ−ＩＣ：PDSCH interference cancellation）、シンボルレベルＰＤＳＣＨ−ＩＣなど）を行うために、ネイバーセルのＰＤＣＣＨを復号またはブラインド検出することが必要であり得る。
【００３７】
[0052]  ネイバーセルによって使用される無線ネットワーク一時識別子（ＲＮＴＩ：radio network temporary identifier）はＵＥに知られていないので、ＵＥによるネイバーセルのＰＤＣＣＨのブラインド復号は複雑である。ネットワーク（例えば、ＵＥのサービングセル）がＵＥの干渉抑圧を支援するために追加情報（例えば、ネットワーク支援）を与える場合、そのようなブラインド復号は回避され得る。ネイバーセルによって使用されるＲＮＴＩはＵＥに知られていないので、ネイバーセルに関連付けられたＲＮＴＩの探索空間（候補の数）もＵＥに知られていない。従って、そのような追加情報がない場合、ネイバーセルのＰＤＣＣＨを復号することを試みるＵＥによって全ての制御チャネル要素（ＣＣＥ：control channel element）が考慮されるべきである。全てのＣＣＥの評価は、（多数の可能で必要なブラインド復号による）複雑さと、潜在的に不都合なフォールスアラーム確率（ＦＡＰ：false alarm probability）と、誤検出確率（ＭＤＰ：misdetection probability）とを増加させる。
【００３８】
[0053]  図８は、通信ネットワークを示す図８００である。通信ネットワークは、サービング送信ポイント８０２と、干渉送信ポイント８０４と、ＵＥ８０６とを含む。一態様では、サービング送信ポイント８０２が、ＵＥ８０６をサービスするセルであり得、干渉送信ポイント８０４は、（図８に示されていない）別のＵＥをサービスする干渉セルであり得る。そのような態様では、図８に示されているように、ＵＥ８０６が、サービング送信ポイント８０２からのＤＬ信号８０８と、干渉送信ポイント８０４からの干渉ＤＬ信号８１０とを受信する。
【００３９】
[0054]  図８の構成では、ＤＬ信号８０８におけるＲＢ割振り８１２中に含まれるＵＥ８０６のためのＰＤＳＣＨが、干渉送信ポイント８０４からの干渉ＤＬ信号８１０におけるＲＢ割振り（例えば、ＲＢ割振り８１６および８１８）中に含まれる（１つまたは複数の）ＰＤＳＣＨによって干渉される。従って、ＰＤＳＣＨリソースの整合がない場合、複数の独立したＰＤＳＣＨとの衝突があり得る。例えば、ＲＢ割振り８１２はＰＤＣＣＨ８１４中のダウンリンク許可から決定され得、ＲＢ割振り８１６および８１８はＰＤＣＣＨ８２０中のダウンリンク許可から決定され得る。
【００４０】
[0055]  一態様では、カテゴリー、すなわち、ＰＤＳＣＨスケジューリング拡張またはジョイントＰＤＣＣＨ／ＰＤＳＣＨスケジューリング拡張のいずれか一方に属するスケジューリング拡張が行われ得る。一態様では、そのようなスケジューリング拡張が、ＰＤＣＣＨスケジューリング閉ループに影響を及ぼすことも及ぼさないこともある。
【００４１】
[0056]  図９は、ＰＤＳＣＨスケジューリング拡張を示す図９００である。図９は、ある送信ポイント（例えば、サービング送信ポイント）からのＰＤＳＣＨ９０２および９０４と、別の送信ポイント（例えば、干渉送信ポイント）からのＰＤＳＣＨ９０６および９０８とを含む。図９に示されているように、サービング送信ポイントからのＰＤＳＣＨ９０２は干渉送信ポイントからのＰＤＳＣＨ９０６と整合され、サービング送信ポイントからのＰＤＳＣＨ９０４は干渉送信ポイントからのＰＤＳＣＨ９０８と整合される。代替的に述べると、干渉送信ポイントからのＰＤＳＣＨ（例えば、ＰＤＳＣＨ９０６）のために割り振られたリソースは、サービング送信ポイントからのＰＤＳＣＨ（例えば、ＰＤＳＣＨ９０２）のために割り振られたリソースと同じであるように構成され、干渉送信ポイントからのＰＤＳＣＨ９０８のために割り振られたリソースは、サービング送信ポイントからのＰＤＳＣＨ９０４のために割り振られたリソースと同じであるように構成される。一態様では、そのような整合が、衝突し得る異なるＰＤＳＣＨの数を最小限に抑える。例えば、１つのＰＤＳＣＨのみが、ＵＥに宛てられたＰＤＳＣＨと衝突（例えば、干渉）する場合、１つのＰＤＣＣＨ許可のみが、ネイバーＰＤＤＣＨ復号を行うためにＵＥによって復号される必要がある。それと比較して、図８中の構成を参照すると、ＵＥ８０６に宛てられたＰＤＳＣＨ８１２は、いくつかの空のＲＢに加えて、２つの別個のＰＤＳＣＨ（例えば、ＰＤＳＣＨ８１６および８１８）によって干渉され、これは、抑圧を行うために複数回の復号を必要とし、さらに、リソースブロックにわたって異なる信号品質を生じ得るので、問題になる。
【００４２】
[0057]  図１０は、ジョイントＰＤＣＣＨ／ＰＤＳＣＨスケジューリング拡張を示す図１０００である。図１０は、サービング送信ポイント（例えば、サービングセル）からのＰＤＳＣＨ１００２と、干渉送信ポイント（例えば、干渉セル）からのＰＤＳＣＨ１００４および１００６とを含む。図１０の構成では、ＰＤＳＣＨ１００２がＵＥに宛てられ、干渉送信ポイントは、（全体的にまたは部分的に）衝突するＰＤＳＣＨ（例えば、ＰＤＳＣＨ１００４）を送信する。他のＰＤＳＣＨが送信され得るが（例えば、ＰＤＳＣＨ１００６）、ＵＥは、それらの追加の干渉信号のリソースと特性とを知ることに関心があることもないこともある。
【００４３】
[0058]  ネイバーＰＤＣＣＨ復号では、ＵＥが、干渉送信ポイントのＰＤＣＣＨを復号することを試みる。ＰＤＳＣＨ１００４に対応するダウンリンク許可が正常に復号された場合、ＵＥはＰＤＳＣＨ１００２に対する干渉ＰＤＳＣＨ１００４の影響を抑圧し得るので、ＰＤＣＣＨのそのような復号は有益である。例えば、ＵＥは、ＲＢ割振り、空間方式、プリコーディング行列インジケータ（ＰＭＩ：pre-coding matrix indicator）、コードレートおよび冗長バージョンなどを含むパラメータを決定し得る。さもなければ、ＵＥは、そのようなパラメータの１つまたは複数をブラインドで推定しなければならないことがある。
【００４４】
[0059]  一態様で、スケジューラは、ネイバー送信ポイントからの干渉を経験するＵＥが、干渉ＰＤＳＣＨに対応するＰＤＣＣＨを正常に復号できる確率を最大にする。一態様で、干渉ＰＤＳＣＨに対応するＰＤＣＣＨは、増加した電力（例えば、増加したトラフィック対パイロット比（ＴＰＲ：traffic to pilot ratio））を用いて送信される。例えば、電力のそのような増加は、ＰＤＣＣＨブラインド復号性能を向上させ得る。別の態様で、干渉ＰＤＳＣＨに対応するＰＤＣＣＨは大きいアグリゲーションレベルを用いて送信される。大きいアグリゲーションレベルはより低いコードレート（例えば、さらなるロバストネス）を暗示する。概して、ＴＰＲおよびアグリゲーションレベルは、干渉送信ポイントから考慮されたＵＥまでの無線状態（例えば、経路損失、ＲＳＲＰなど）に関する何らかの情報（利用可能な場合）に基づいて選択され得る。
【００４５】
[0060]  一態様では、ＲＮＴＩ協調が実装され得る。ＲＮＴＩ協調で、干渉送信ポイントは、選択されたＵＥのＲＮＴＩが、それのＰＤＣＣＨが被干渉ＵＥの同じ探索空間上で送信され得ることを暗示するように、衝突するＰＤＳＣＨリソース上にスケジュールすべきＵＥを選定する。従って、被干渉ＵＥは、ＣＣＥ空間全体を探索する必要はなく、被干渉ＵＥがそれのＤＬ許可と主要な（１つまたは複数の）干渉物の（１つまたは複数の）ＤＬ許可の両方をそこで見つけることになる、それ自体の探索空間のみを探索する必要がある。この手法は複雑さとＦＡＰとを大幅に低減し得る。一態様では、送信ポイントが、２つのＰＤＣＣＨ間の衝突を回避するように協調し得る。サービング送信ポイントは、ＰＤＣＣＨ許可の送信のために干渉送信ポイントによって使用されるＣＣＥ上で他のＰＤＣＣＨを送信することを控え得る。
【００４６】
[0061]  一態様では、アグリゲーションレベル協調が実装され得る。アグリゲーションレベル協調では、干渉送信ポイント（例えば、干渉セル）が、サービング送信ポイント（例えば、サービングセル）によってサービスされているＵＥへの第２のＰＤＣＣＨの送信のためにサービング送信ポイントによって使用されるアグリゲーションレベルに等しいかまたはそれよりも大きい、第１のＰＤＣＣＨの送信のためのアグリゲーションレベルを選定する。例えば、サービング送信ポイントによってサービスされているＵＥは、最初にそれ自体のＤＬ許可を復号し、アグリゲーションレベルを決定し、決定されたアグリゲーションレベルを仮定して全てのＣＣＥにわたって探索する。この手法は複雑さとＦＡＰとを大幅に低減し得る。
【００４７】
[0062]  一態様で、ネットワークは、本明細書で説明する（例えば、ＰＤＳＣＨ／ＰＤＣＣＨがペアリングするための）技法のうちの１つまたは複数を選択的に適用し得る。一態様で、ネットワークは、ネットワーク中のどのＵＥが、ネイバーＰＤＣＣＨを復号する能力を有するかを知っており、そのような能力をもつＵＥに宛てられたＰＤＳＣＨにのみ上記のアイデアのいずれかを適用する。別の態様で、ネイバーＰＤＣＣＨを復号するＵＥの能力が不明である場合、ネットワークは、２つまたはそれ以上の送信されたＰＤＳＣＨ間に強い干渉状態が発生するたびに、本明細書で説明する技法のうちの１つまたは複数を適用する。一態様で、適用可能性はアクティブＵＥの数を条件とし得る。例えば、所与の時間において、ごく少数のＵＥがアクティブである場合、（ＵＥを選定するための自由度の欠如のために）システム性能劣化が発生し得る。様々な態様は、２つの送信ポイントが地理的に異なり得るシナリオ、またはそれらが地理的にコロケートされ（すなわち、同じロケーションにあり）得るシナリオを含む。さらに、本明細書の態様は２つの送信ポイントを備えるが、想定される態様は任意の数の送信ポイントの間の送信協調を含み得る。
【００４８】
[0063]  ＰＤＳＣＨ干渉は、マルチユーザ多入力多出力（ＭＵ−ＭＩＭＯ）が使用されるとき（例えば、同じリソース上で同じセルによってサービスされる２つ以上のＵＥ）、同じセルからも来ることがあることに留意されたい。本明細書で説明する同じ技法がこのシナリオでも適用可能である。例えば、サービング送信ポイント８０２と干渉送信ポイント８０４とは、同じセルに関連付けられ得、同じセルＩＤを共有し得る。そのような例では、サービング送信ポイント８０２と干渉送信ポイントとが互いに協調するように構成され得る。さらに、上記のように、送信ポイントは、地理的に異なることも、地理的にコロケートされる（例えば、すなわち、同じロケーション中にある）こともある。例えば、そのような協調は、ファイバーバックホールをもつ多地点協調（ＣｏＭＰ：coordinated multipoint）クラスタ、または低レイテンシＸ２をもつマクロ／ピコネットワークを介して達成され得る。また、任意の数の送信ポイントが送信を協調させ得る、さらなるアペクトが想定され、ここで、いずれの送信ポイントも（１つまたは複数の）同じセルＩＤを採用しないか、いくつかまたは全ての送信ポイントが（１つまたは複数の）同じセルＩＤを採用する。
【００４９】
[0064]  拡張ＰＤＣＣＨ（ＥＰＤＣＣＨ：Enhanced PDCCH）ロケーション（サブフレーム、ＰＲＢ）は、ＵＥ固有であり、上位レイヤでシグナリングされる。ネイバーＥＰＤＣＣＨの完全ブラインド検出はＵＥにとって困難である。ネイバーＥＰＤＣＣＨの復号は、干渉送信ポイント（例えば、干渉セル）によって送信された全てのＵＥ固有ＥＰＤＣＣＨのためのパラメータ、すなわち、ｅＰＤＣＣＨセットのロケーション（ＰＲＢ、サブフレームパターン）、各セットが分散されているのか局所化されているのか、各セットのための仮想セル識別情報（ＶＣＩＤ：virtual cell identification）、（ＴＭ１０が構成される場合）各セットのための擬似コロケーション（ＱＣＬ：Quasi Co-Location）情報、開始ＯＦＤＭシンボル、干渉セルによって送信されたニアゼロ電力（ＮＺＰ：near zero power）チャネル状態情報基準シンボル（ＣＳＩ−ＲＳ：channel state information reference symbol）ロケーションの知識、それらがＥＰＤＣＣＨセットのいずれかと衝突する場合、（干渉物ＰＤＣＣＨ復号の場合のように）ＲＮＴＩ、送信モード（ＴＭ：transmission mode）、アグリゲーションレベルなどの知識（または検出）を必要とする。
【００５０】
[0065]  一態様では、ＵＥによるネイバーｅＰＤＣＣＨの復号が簡略化され得る。一態様では、サービングセルと干渉セルとの間の探索空間が一致され得る。例えば、サービングセルと干渉セルとは同じ物理リソースブロック（ＰＲＢ）とサブフレームパターンとを構成し得る。そのような構成は、全てのＵＥのために、または結局共同スケジュールされることになり得るＵＥのために行われ得る（ＰＤＳＣＨスケジューラとｅＰＤＣＣＨスケジューラとの間の相互作用を暗示する）。例えば、ＵＥ{i,0}およびＵＥ{j,0}がセットＡ、Ｂで構成され、ＵＥ{i,1}およびＵＥ{j,1}がセットＣ、Ｄで構成された場合（ｉ、ｊはセルインデックスを示す）、ＵＥ{i,0}のためのＰＤＳＣＨはＵＥ{j,1}のためのＰＤＳＣＨと衝突しないことになる（ＰＤＳＣＨスケジューリング制限）。分散／局所属性、および／または開始ＯＦＤＭシンボルも、サービングｅＰＤＣＣＨと干渉ｅＰＤＣＣＨとの間で同じであるように強制され得る。一態様では、両方の送信ポイントから、それらの該当するｅＰＤＣＣＨのために同じＶＣＩＤが使用される場合、１つのチャネル推定値のみが必要とされる。同じＶＣＩＤの使用は、全てのＵＥ、または結局共同スケジュールされることになり得るＵＥのみに適用可能であり得る。
【００５１】
[0066]  上で論じられたように、サービング送信ポイント（例えば、サービングセル）によってサービスされているＵＥは干渉送信ポイント（例えば、干渉セル）からのＰＤＣＣＨを復号し得る。一態様では、ＵＥ固有探索空間のみがＵＥによって探索される。従って、スケジューラは、干渉送信ポイントによって共同スケジュールされたＵＥのためのＤＬ許可が同じ探索空間に入ることを保証し得る。一態様では、干渉送信ポイントの電力および／またはアグリゲーションレベル制御ループが被干渉ＵＥを考慮に入れ得る。干渉送信ポイントは、それ自体のＵＥと、他のｅＮＢに関連付けられた他のＵＥの両方に制御チャネル（例えば、ＰＤＣＣＨまたはＥＰＤＣＣＨ）を復号させることを試みる。一態様では、干渉送信ポイントの制御チャネルを復号することが、ＵＥの能力であり、ＵＥとｅＮＢとの間でシグナリングを交換し得る。例えば、スケジューラは、本明細書で説明する技法を適用すべきかどうかと、どのＵＥに適用すべきかとを決定するとき、ＵＥが干渉送信ポイントのＰＤＣＣＨを復号することが可能であるかどうかを考慮に入れ得る。一態様では、スケジューラが、ＰＤＳＣＨ関係メトリック（例えば、サブバンドごとのＣＱＩ）とＰＤＣＣＨ関係メトリック（アグリゲーションレベル、ＲＮＴＩ／探索空間など）の両方を考慮に入れる。
【００５２】
[0067]  図１１は、ワイヤレス通信の方法のフローチャート１１００である。本方法は（干渉ｅＮＢまたは干渉基地局とも呼ばれる）第１の送信ポイントによって行われ得る。例えば、第１の送信ポイントは図８中の干渉送信ポイント８０４であり得る。図１１において点線によって示されたステップは随意のステップを表すことを理解されたい。
【００５３】
[0068]  ステップ１１０２において、第１の送信ポイントは、第２の送信ポイントによってサービスされている少なくとも１つのＵＥが、第１の送信ポイントによってサービスされているＵＥのための第１のＤＬ制御チャネルを復号する能力を備えると決定する。例えば、図８を参照すると、第２の送信ポイントはサービング送信ポイント８０２であり得、第２の送信ポイントによってサービスされている少なくとも１つのＵＥはＵＥ８０６であり得る。一態様では、第１の送信ポイントと第２の送信ポイントとが別個の基地局であり得る。別の態様では、第１の送信ポイントと第２の送信ポイントとが、同じセルに関連付けられ得、同じセルＩＤを有し得る。これらの様々な態様は、送信ポイントが地理的に異なり得るシナリオ、または送信ポイントが地理的にコロケートされ得るシナリオを含む。一態様では、第１のＤＬ制御チャネルが、第２の送信ポイントによってサービスされている少なくとも１つのＵＥのための第２のＰＤＳＣＨに干渉する第１のＰＤＳＣＨに対応するＰＤＣＣＨである。
【００５４】
[0069]  ステップ１１０４において、第１の送信ポイントは、第２の送信ポイントによってサービスされている少なくとも１つのＵＥが、第１の送信ポイントによってサービスされているＵＥの第１のＰＤＳＣＨからの干渉を受けるかどうかを決定する。
【００５５】
[0070]  ステップ１１０６において、第１の送信ポイントは、第１の送信ポイントによってサービスされているＵＥのための第１のＤＬ制御チャネルを構成し、構成は、第２の送信ポイントによってサービスされている少なくとも１つのＵＥによる第１のＤＬ制御チャネルの復号を可能にする。一態様で、第１の送信ポイントは、少なくとも１つのＵＥによるＤＬ制御チャネルの検出を可能にするために、少なくとも１つのＵＥの１つまたは複数の無線状態に基づいて第１のＤＬ制御チャネルの送信電力を増加させることによって、第１のＤＬ制御チャネルを構成する。一態様で、第１の送信ポイントは、第１のＤＬ制御チャネルのために、少なくとも１つのＵＥによって監視される探索空間中に含まれるリソースを割り振ることによって、第１のＤＬ制御チャネルを構成する。例えば、そのような割振りは、対応する制御情報が選択された探索空間中で割り振られることを可能にするパラメータを備えるスケジュール可能なＵＥうちのＵＥを選択することを伴い得る。
【００５６】
[0071]  一態様で、第１の送信ポイントは、第１のＤＬ制御チャネルのために第１の数のリソースを割り振ることによって第１のＤＬ制御チャネルを構成し、リソースの第１の数は、第２のＤＬ制御チャネルのために第２の送信ポイントによって少なくとも１つのＵＥに割り振られたリソースの第２の数に等しいかまたはそれよりも大きい。一態様で、第１の送信ポイントは、第１の送信ポイントによってサービスされているＵＥのための第１のＰＤＳＣＨを構成し、第１のＰＤＳＣＨは、第２の送信ポイントによってサービスされている少なくとも１つのＵＥのための第２のＰＤＳＣＨのリソースと実質的に整合されたリソースを備える。
【００５７】
[0072]  一態様で、第１のＤＬ制御チャネルはＥＰＤＣＣＨであり、第１の送信ポイントは、第１の送信ポイントによってサービスされているＵＥの第１の探索空間を、第２の送信ポイントによってサービスされている少なくとも１つのＵＥの第２の探索空間と同じであるように構成する。一態様で、第１のＤＬ制御チャネルはＥＰＤＣＣＨであり、第１の送信ポイントは、第２の送信ポイントによって使用される第２の仮想セル識別情報（ＶＣＩＤ）と同じである第１のＶＣＩＤを用いて送信されるようにＥＰＤＣＣＨを構成する。
【００５８】
[0073]  ステップ１１０８において、第１の送信ポイントは、第１の送信ポイントによってサービスされているＵＥのための第１のＰＤＳＣＨを構成し、第１のＰＤＳＣＨは、第２の送信ポイントによってサービスされている少なくとも１つのＵＥのための第２のＰＤＳＣＨのリソースと実質的に整合されたリソースを含む。
【００５９】
[0074]  ステップ１１１０において、第１の送信ポイントは第１のＤＬ制御チャネルを送信する。一態様で、第１の送信ポイントは、増加した送信電力を用いて第１のＤＬ制御チャネルを送信する。
【００６０】
[0075]  最終的に、ステップ１１１２において、第１の送信ポイントは第１のＰＤＳＣＨを送信する。
【００６１】
[0076]  図１２は、ワイヤレス通信の方法のフローチャート１２００である。本方法は、図８中のＵＥ８０６など、ＵＥによって行われ得る。ステップ１２０２において、ＵＥは、（サービング基地局とも呼ばれる）サービング送信ポイントと通信する。例えば、図８を参照すると、サービング送信ポイントはサービング送信ポイント８０２であり得る。例えば、ＵＥは、サービング送信ポイントにＵＬ送信を送ることと、サービング送信ポイントからＤＬ送信を受信することとによって、サービング送信ポイントと通信し得る。一態様では、干渉送信ポイントからの１つまたは複数の送信が、サービング送信ポイントからのＤＬ送信（例えば、ＤＬ送信中のＰＤＳＣＨ）への干渉を引き起こし得る。例えば、図８を参照すると、干渉送信ポイントは干渉送信ポイント８０４であり得る。一態様では、サービング送信ポイントと干渉送信ポイントとが別個の基地局であり得る。別の態様では、サービング送信ポイントと干渉送信ポイントとが、同じセルに関連付けられ得、同じセルＩＤを有し得る。一態様で、ＵＥは、ＵＥが、干渉送信ポイントによってサービスされている別のＵＥの第１のＰＤＳＣＨからの干渉を受けるかどうかをサービング送信ポイントに示し得る。一態様で、ＵＥは、ＵＥが、干渉送信ポイントによってサービスされている別のＵＥのための第１のＤＬ制御チャネルを復号する能力を有するかどうかをサービング送信ポイントに通信し得る。
【００６２】
[0077]  ステップ１２０４において、ＵＥは、干渉送信ポイントからの第１のＤＬ制御チャネルを復号し、第１のＤＬ制御チャネルは、ＵＥによる第１のＤＬ制御チャネルの復号を可能にするように構成される。一態様で、第１のＤＬ制御チャネルは、ＵＥによるＤＬ制御チャネルの検出を可能にするために、ＵＥの１つまたは複数の無線状態に基づいて増加した送信電力を有するように構成される。一態様で、第１のＤＬ制御チャネルは、ＵＥによって監視される探索空間中に含まれるリソースを割り振られる。一態様で、第１のＤＬ制御チャネルは第１の数のリソースを割り振られ、ここで、リソースの第１の数は、第２のＤＬ制御チャネルのためにサービング送信ポイントによってＵＥに割り振られたリソースの第２の数に等しいかまたはそれよりも大きい。一態様で、サービング送信ポイントによってサービスされているＵＥは第１のＰＤＳＣＨを受信する。第１のＰＤＳＣＨは、干渉送信ポイントによってサービスされている別のＵＥに宛てられ、サービング送信ポイントによってサービスされているＵＥのための第２のＰＤＳＣＨのリソースと実質的に整合されたリソースで構成される。一態様で、第１のＤＬ制御チャネルはＥＰＤＣＣＨであり、干渉送信ポイントによってサービスされている別のＵＥの探索空間は、サービング送信ポイントによってサービスされているＵＥの探索空間と同じであるように構成される。一態様で、第１のＤＬ制御チャネルは、サービング送信ポイントによって使用される第２のＶＣＩＤと同じである第１のＶＣＩＤを用いて送信されるＥＰＤＣＣＨである。
【００６３】
[0078]  ステップ１２０６において、ＵＥは、復号された第１のＤＬ制御チャネルに基づいて、干渉送信ポイントによって引き起こされた干渉を消去する。例えば、ＵＥは、干渉送信ポイントの復号された第１のＤＬ制御チャネルから決定され得る干渉特性（例えば、リソースボック（ＲＢ）割振り、変調フォーマット、空間方式など）を使用し、そのような干渉特性を使用して干渉消去を行い得る。
【００６４】
[0079]  図１３は、例示的な装置１３０２における異なるモジュール／手段／構成要素間のデータフローを示す概念データフロー図１３００である。本装置は第１の送信ポイント（例えば、干渉送信ポイント）であり得る。本装置は、第２の送信ポイント（例えば、サービング送信ポイント）によってサービスされている少なくとも１つのＵＥ１３６０が、第１の送信ポイントによってサービスされているＵＥ１３５０のための第１のＤＬ制御チャネル１３２０を復号する能力を有することを示す、ネットワーク情報１３１２を受信する受信モジュール１３０４を含む。本装置は、ネットワーク情報１３１２に基づいて、第２の送信ポイントによってサービスされている少なくとも１つのＵＥ１３６０が、第１の送信ポイントによってサービスされているＵＥ１３５０のための第１のＤＬ制御チャネル１３２０を復号する能力を有すると決定する、決定モジュール１３０６をさらに含む。決定モジュール１３０６は、さらに、第２の送信ポイントによってサービスされている少なくとも１つのＵＥ１３６０が、第１の送信ポイントによってサービスされているＵＥ１３５０の第１のＰＤＳＣＨ１３３０からの干渉を受けるかどうかを決定する。本装置は、決定１３１６に基づいて、第１の送信ポイントによってサービスされているＵＥ１３５０のための第１のＤＬ制御チャネル１３２０を構成する構成モジュール１３０８をさらに含み、構成は、第２の送信ポイントによってサービスされている少なくとも１つのＵＥ１３６０による第１のＤＬ制御チャネル１３２０の復号を可能にする。構成モジュール１３０８は、さらに、第１の送信ポイントによってサービスされているＵＥ１３５０のための第１のＰＤＳＣＨ１３３０を構成し、第１のＰＤＳＣＨは、第２の送信ポイントによってサービスされている少なくとも１つのＵＥのための第２のＰＤＳＣＨのリソースと実質的に整合されたリソースを含む。本装置は、構成モジュール１３０８からの構成１３１８に基づいて第１のＤＬ制御チャネル１３２０および／または第１のＰＤＳＣＨ１３３０を送信する送信モジュール１３１０をさらに含む。
【００６５】
[0080]  本装置は、図１１の上述のフローチャート中のアルゴリズムのステップの各々を行う追加のモジュールを含み得る。従って、図１１の上述のフローチャート中の各ステップは１つのモジュールによって行われ得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを行うように構成されたプロセッサによって実装されるか、プロセッサによる実装のためにコンピュータ可読媒体内に記憶されるか、またはそれらの何らかの組合せであり得る。
【００６６】
[0081]  図１４は、処理システム１４１４を採用する装置１３０２’のためのハードウェア実装形態の一例を示す図１４００である。処理システム１４１４は、バス１４２４によって概略的に表されるバスアーキテクチャを用いて実装され得る。バス１４２４は、処理システム１４１４の特定の適用例および全体的な設計制約に応じて、任意の数の相互接続バスおよびブリッジを含み得る。バス１４２４は、プロセッサ１４０４によって表される１つまたは複数のプロセッサおよび／またはハードウェアモジュールと、モジュール１３０４、１３０６、１３０８、および１３１０と、コンピュータ可読媒体／メモリ１４０６とを含む様々な回路を互いにリンクする。バス１４２４はまた、タイミングソース、周辺機器、電圧調整器、および電力管理回路など、様々な他の回路をリンクし得るが、これらの回路は当技術分野においてよく知られており、従って、これ以上説明しない。
【００６７】
[0082]  処理システム１４１４はトランシーバ１４１０に結合され得る。トランシーバ１４１０は１つまたは複数のアンテナ１４２０に結合される。トランシーバ１４１０は、伝送媒体を介して様々な他の装置と通信するための手段を与える。トランシーバ１４１０は、１つまたは複数のアンテナ１４２０から信号を受信し、受信された信号から情報を抽出し、抽出された情報を処理システム１４１４、特に受信モジュール１３０４に与える。さらに、トランシーバ１４１０は、処理システム１４１４、特に送信モジュール１３１０から情報を受信し、受信された情報に基づいて、１つまたは複数のアンテナ１４２０に適用されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６に記憶されたソフトウェアの実行を含む一般的な処理を担当する。ソフトウェアは、プロセッサ１４０４によって実行されたとき、処理システム１４１４に、特定の装置のための上述された様々な機能を行わせる。コンピュータ可読媒体／メモリ１４０６はまた、ソフトウェアを実行するときにプロセッサ１４０４によって操作されるデータを記憶するために使用され得る。処理システムは、モジュール１３０４、１３０６、１３０８、および１３１０のうちの少なくとも１つをさらに含む。それらのモジュールは、プロセッサ１４０４中で動作するか、コンピュータ可読媒体／メモリ１４０６中に常駐する／記憶されたソフトウェアモジュールであるか、プロセッサ１４０４に結合された１つまたは複数のハードウェアモジュールであるか、またはそれらの何らかの組合せであり得る。処理システム１４１４は、送信ポイント６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【００６８】
[0083]  一構成では、ワイヤレス通信のための装置１３０２／１３０２’が、第１の送信ポイントによってサービスされているＵＥのための第１のＤＬ制御チャネルを構成するための手段と、構成が、第２の送信ポイントによってサービスされている少なくとも１つのＵＥによる第１のＤＬ制御チャネルの復号を可能にする、第１のＤＬ制御チャネルを送信するための手段と、第１の送信ポイントによってサービスされているＵＥのための第１のＰＤＳＣＨを構成するための手段と、第１のＰＤＳＣＨが、第２の送信ポイントによってサービスされている少なくとも１つのＵＥのための第２のＰＤＳＣＨのリソースと実質的に整合されたリソースを備える、第１のＰＤＳＣＨを送信するための手段と、第２の送信ポイントによってサービスされている少なくとも１つのＵＥが、第１の送信ポイントによってサービスされているＵＥの第１のＰＤＳＣＨからの干渉を受けるかどうかを決定するための手段と、第２の送信ポイントによってサービスされている少なくとも１つのＵＥが、第１の送信ポイントによってサービスされているＵＥのための第１のＤＬ制御チャネルを復号する能力を備えると決定するための手段とを含む。上述の手段は、上述の手段によって具陳された機能を行うように構成された、装置１３０２、および／または装置１３０２’の処理システム１４１４の上述のモジュールのうちの１つまたは複数であり得る。上述されたように、処理システム１４１４は、ＴＸプロセッサ６１６、ＲＸプロセッサ６７０、およびコントローラ／プロセッサ６７５を含み得る。従って、一構成で、上述の手段は、上述の手段によって具陳された機能を行うように構成された、ＴＸプロセッサ６１６と、ＲＸプロセッサ６７０と、コントローラ／プロセッサ６７５とであり得る。
【００６９】
[0084]  図１５は、例示的な装置１５０２における異なるモジュール／手段／構成要素間のデータフローを示す概念データフロー図１５００である。本装置はＵＥであり得る。本装置は、干渉送信ポイント１５６０から第１のＤＬ制御チャネル１５１４と第１のＰＤＳＣＨ１５１６とを受信し、サービング送信ポイント１５５０から第２のＤＬ制御チャネル１５１８と第２のＰＤＳＣＨ１５２０とをさらに受信する、受信モジュール１５０４を含む。本装置は、サービング送信ポイント１５５０と通信する通信モジュール１５０６をさらに含む。一態様で、通信モジュール１５０６は、サービング送信ポイント１５５０からのＤＬ信号（例えば、第２のＤＬ制御チャネル１５１８および第２のＰＤＳＣＨ１５２０）を処理し、送信モジュール１５１２を介したサービング送信ポイント１５５０への送信１５３４のためにＵＬ情報１５３２を生成する。
【００７０】
[0085]  本装置は、干渉送信ポイント１５６０からの第１のＤＬ制御チャネル１５１４を復号する復号モジュール１５０８をさらに含み、ここで、第１のＤＬ制御チャネル１５１４は、本装置による第１のＤＬ制御チャネルの復号を可能にするように構成される。復号モジュール１５０８は、復号された第１のＤＬ制御チャネル１５２４を消去モジュール１５１０に与える。消去モジュール１５１０は、復号された第１のＤＬ制御チャネル１５２４に基づいて、干渉送信ポイント１５６０からの第１のＰＤＳＣＨ１５１６によって引き起こされたサービング送信ポイント１５５０からの第２のＰＤＳＣＨ１５２０への干渉を消去する。消去モジュール１５１０は、干渉消去された第２のＰＤＳＣＨ１５３０を通信モジュール１５０６に与え、通信モジュール１５０６は、サービング送信ポイント１５５０から送られたデータを取得するために第２のＰＤＳＣＨを処理する。
【００７１】
[0086]  本装置は、図１２の上述のフローチャート中のアルゴリズムのステップの各々を行う追加のモジュールを含み得る。従って、図１２の上述のフローチャート中の各ステップは１つのモジュールによって行われ得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを行うように構成されたプロセッサによって実装されるか、プロセッサによる実装のためにコンピュータ可読媒体内に記憶されるか、またはそれらの何らかの組合せであり得る。
【００７２】
[0087]  図１６は、処理システム１６１４を採用する装置１５０２’のためのハードウェア実装形態の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４によって表される１つまたは複数のプロセッサおよび／またはハードウェアモジュールと、モジュール１５０４、１５０６、１５０８、１５１０、および１５１２と、コンピュータ可読媒体／メモリ１６０６とを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、従って、これ以上説明しない。
【００７３】
[0088]  処理システム１６１４はトランシーバ１６１０に結合され得る。トランシーバ１６１０は１つまたは複数のアンテナ１６２０に結合される。トランシーバ１６１０は、伝送媒体を介して様々な他の装置と通信するための手段を与える。トランシーバ１６１０は、１つまたは複数のアンテナ１６２０から信号を受信し、受信された信号から情報を抽出し、抽出された情報を処理システム１６１４、特に受信モジュール１５０４に与える。さらに、トランシーバ１６１０は、処理システム１６１４、特に送信モジュール１５１２から情報を受信し、受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６に記憶されたソフトウェアの実行を含む一般的な処理を担当する。ソフトウェアは、プロセッサ１６０４によって実行されたとき、処理システム１６１４に、特定の装置のための上述された様々な機能を行わせる。コンピュータ可読媒体／メモリ１６０６はまた、ソフトウェアを実行するときにプロセッサ１６０４によって操作されるデータを記憶するために使用され得る。処理システムは、モジュール１５０４、１５０６、１５０８、１５１０、および１５１２のうちの少なくとも１つをさらに含む。それらのモジュールは、プロセッサ１６０４中で動作するか、コンピュータ可読媒体／メモリ１６０６中に常駐する／記憶されたソフトウェアモジュールであるか、プロセッサ１６０４に結合された１つまたは複数のハードウェアモジュールであるか、またはそれらの何らかの組合せであり得る。処理システム１６１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００７４】
[0089]  一構成で、ワイヤレス通信のための装置１５０２／１５０２’は、サービング送信ポイントと通信するための手段と、干渉送信ポイントからの第１のＤＬ制御チャネルを復号するための手段と、第１のＤＬ制御チャネルが、ＵＥによる第１のＤＬ制御チャネルの復号を可能にするように構成された、復号された第１のＤＬ制御チャネルに基づいて、干渉送信ポイントによって引き起こされた干渉を消去するための手段とを含む。上述の手段は、上述の手段によって具陳された機能を行うように構成された、装置１５０２、および／または装置１５０２’の処理システム１６１４の上述のモジュールのうちの１つまたは複数であり得る。上述されたように、処理システム１６１４は、ＴＸプロセッサ６６８、ＲＸプロセッサ６５６、およびコントローラ／プロセッサ６５９を含み得る。従って、一構成で、上述の手段は、上述の手段によって具陳された機能を行うように構成された、ＴＸプロセッサ６６８と、ＲＸプロセッサ６５６と、コントローラ／プロセッサ６５９とであり得る。
【００７５】
[0090]  開示したプロセスにおけるステップの特定の順序または階層は、例示的な手法の一例であることを理解されたい。設計上の選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものでない。
【００７６】
[0091]  以上の説明は、当業者が本明細書で説明された様々な態様を実践できるようにするために提供される。これらの態様に対する様々な変更は当業者には容易に明らかであり、本明細書で定義した一般的原理は他の態様に適用され得る。従って、特許請求の範囲は、本明細書に示された態様に限定されるものでなく、特許請求の言い回しに矛盾しない全範囲を与えられるべきであり、単数形の要素への言及は、そのように明記されていない限り、「唯一無二の」を意味するものでなく、「１つまたは複数の」を意味するものである。「例示的」という単語は、本明細書で「例、事例、または例示の働きをすること」を意味するために使用する。「例示的」として本明細書で説明するいかなる態様も、必ずしも他の態様よりも好適または有利なものと解釈すべきでない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、並びに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素の全ての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものでない。いかなるクレーム要素も、その要素が「ための手段」という語句を使用して明確に具陳されていない限り、ミーンズプラスファンクションとして解釈されるべきでない。
以下に本願の出願当初の特許請求の範囲に記載された発明を付記する。
[Ｃ１]  第１の送信ポイントのためのワイヤレス通信の方法であって、
前記第１の送信ポイントによってサービスされているユーザ機器（ＵＥ）のための第１のダウンリンク（ＤＬ）制御チャネルを構成することであって、この構成が、第２の送信ポイントによってサービスされる少なくとも１つのＵＥによる前記第１のＤＬ制御チャネルの復号を可能にするものである、構成することと、
前記第１のＤＬ制御チャネルを送信することとを備える、方法。
[Ｃ２]  前記第１の送信ポイントは第１の基地局であり、前記第２の送信ポイントは第２の基地局である、Ｃ１に記載の方法。
[Ｃ３]  前記第１の送信ポイントと前記第２の送信ポイントとは同じセル識別子（ＣＩＤ）を共有する、Ｃ１に記載の方法。
[Ｃ４]  前記第１のＤＬ制御チャネルを前記構成することは、前記少なくとも１つのＵＥによる前記ＤＬ制御チャネルの検出を可能にするために、前記少なくとも１つのＵＥの１つまたは複数の無線状態に基づいて前記第１のＤＬ制御チャネルの送信電力を増加させることを備え、
前記送信することは、前記増加した送信電力を用いて前記ＤＬ制御チャネルを送信することを備える、Ｃ１に記載の方法。
[Ｃ５]  前記第１のＤＬ制御チャネルを前記構成することは、前記第１のＤＬ制御チャネルのために、前記少なくとも１つのＵＥによって監視される探索空間中に含まれるリソースを割り振ることを備える、Ｃ１に記載の方法。
[Ｃ６]  前記第１のＤＬ制御チャネルのためにリソースを前記割り振ることは、選択された探索空間を監視するように割り当てられ得るＵＥを選択することをさらに備える、Ｃ５に記載の方法。
[Ｃ７]  前記第１のＤＬ制御チャネルを前記構成することは、前記第１のＤＬ制御チャネルのために第１の数のリソースを割り振ることを備え、リソースの前記第１の数は、第２のＤＬ制御チャネルのために前記第２の送信ポイントによって前記少なくとも１つのＵＥに割り振られたリソースの第２の数に等しいかまたはそれよりも大きい、Ｃ１に記載の方法。
[Ｃ８]  前記第１の送信ポイントによってサービスされている前記ＵＥのための第１の物理ダウンリンク共有チャネル（ＰＤＳＣＨ）を構成することであって、前記第１のＰＤＳＣＨは、前記第２の送信ポイントによってサービスされている前記少なくとも１つのＵＥのための第２のＰＤＳＣＨのリソースと実質的に整合されたリソースを備える、構成することと、
前記第１のＰＤＳＣＨを送信することとをさらに備える、Ｃ１に記載の方法。
[Ｃ９]  前記第１のＤＬ制御チャネルは、前記第２の送信ポイントによってサービスされている前記少なくとも１つのＵＥのための第２の物理ダウンリンク共有チャネル（ＰＤＳＣＨ）に干渉する第１のＰＤＳＣＨに対応する、Ｃ１に記載の方法。
[Ｃ１０]  前記第２の送信ポイントによってサービスされている前記少なくとも１つのＵＥが、前記第１の送信ポイントによってサービスされている前記ＵＥの第１の物理ダウンリンク共有チャネル（ＰＤＳＣＨ）からの干渉を受けるかどうかを決定することをさらに備える、Ｃ１に記載の方法。
[Ｃ１１]  前記第２の送信ポイントによってサービスされている前記少なくとも１つのＵＥが、前記第１の送信ポイントによってサービスされている前記ＵＥのための前記第１のＤＬ制御チャネルを復号する能力を備えると決定することをさらに備える、Ｃ１に記載の方法。
[Ｃ１２]  前記第１のＤＬ制御チャネルは拡張物理ダウンリンク制御チャネル（ＥＰＤＣＣＨ）であり、前記構成することは、前記第１の送信ポイントによってサービスされている前記ＵＥの第１の探索空間を、前記第２の送信ポイントによってサービスされている前記少なくとも１つのＵＥの第２の探索空間と同じであるように構成することを備える、Ｃ１に記載の方法。
[Ｃ１３]  前記第１のＤＬ制御チャネルは拡張物理ダウンリンク制御チャネル（ＥＰＤＣＣＨ）であり、前記構成することは、前記第２の送信ポイントによって使用される第２の仮想セル識別情報（ＶＣＩＤ）と同じである第１のＶＣＩＤを用いて送信されるように前記ＥＰＤＣＣＨを構成することを備える、Ｃ１に記載の方法。
[Ｃ１４]  ユーザ機器（ＵＥ）のためのワイヤレス通信の方法であって、
サービング送信ポイントと通信することと、
干渉送信ポイントからの第１のダウンリンク（ＤＬ）制御チャネルを復号することであって、前記第１のＤＬ制御チャネルは、前記ＵＥによる前記第１のＤＬ制御チャネルの前記復号を可能にするように構成されている、復号することとを備える、方法。
[Ｃ１５]  前記サービング送信ポイントは第１の基地局であり、前記干渉送信ポイントは第２の基地局である、Ｃ１４に記載の方法。
[Ｃ１６]  前記サービング送信ポイントと前記干渉送信ポイントとは同じセル識別子（ＣＩＤ）を共有する、Ｃ１４に記載の方法。
[Ｃ１７]  ワイヤレス通信のための第１の送信ポイントであって、
メモリと、
前記メモリに結合され、
前記第１の送信ポイントによってサービスされているユーザ機器（ＵＥ）のための第１のダウンリンク（ＤＬ）制御チャネルを構成することであって、この構成は、第２の送信ポイントによってサービスされている少なくとも１つのＵＥによる前記第１のＤＬ制御チャネルの復号を可能にするものである、構成することと、
前記第１のＤＬ制御チャネルを送信することと
を行うように構成される少なくとも１つのプロセッサとを備える、第１の送信ポイント。
[Ｃ１８]  前記第１の送信ポイントは第１の基地局であり、前記第２の送信ポイントは第２の基地局である、Ｃ１７に記載の方法。
[Ｃ１９]  前記第１の送信ポイントと前記第２の送信ポイントとは同じセル識別子（ＣＩＤ）を共有する、Ｃ１７に記載の方法。
[Ｃ２０]  前記少なくとも１つのプロセッサは、前記少なくとも１つのＵＥによる前記ＤＬ制御チャネルの検出を可能にするために、前記少なくとも１つのＵＥの１つまたは複数の無線状態に基づいて前記第１のＤＬ制御チャネルの送信電力を増加させることによって、前記第１のＤＬ制御チャネルを構成するように構成され、
前記少なくとも１つのプロセッサは、前記増加した送信電力を用いて前記ＤＬ制御チャネルを送信することによって前記第１のＤＬ制御チャネルを送信するように構成される、Ｃ１７に記載の第１の送信ポイント。
[Ｃ２１]  前記少なくとも１つのプロセッサは、前記第１のＤＬ制御チャネルのために、前記少なくとも１つのＵＥによって監視される探索空間中に含まれるリソースを割り振ることによって、前記第１のＤＬ制御チャネルを構成するように構成される、Ｃ１７に記載の第１の送信ポイント。
[Ｃ２２]  前記少なくとも１つのプロセッサは、選択された探索空間を監視するように割り当てられ得るＵＥを選択することによって、前記第１のＤＬ制御チャネルのためにリソースを割り振るように構成される、Ｃ２１に記載の第１の送信ポイント。
[Ｃ２３]  前記少なくとも１つのプロセッサは、前記第１のＤＬ制御チャネルのために第１の数のリソースを割り振ることによって前記第１のＤＬ制御チャネルを構成するように構成され、リソースの前記第１の数は、第２のＤＬ制御チャネルのために前記第２の送信ポイントによって前記少なくとも１つのＵＥに割り振られたリソースの第２の数に等しいかまたはそれよりも大きい、Ｃ１７に記載の第１の送信ポイント。
[Ｃ２４]  前記少なくとも１つのプロセッサは、
前記第１の送信ポイントによってサービスされている前記ＵＥのための第１の物理ダウンリンク共有チャネル（ＰＤＳＣＨ）を構成することであって、前記第１のＰＤＳＣＨが、前記第２の送信ポイントによってサービスされている前記少なくとも１つのＵＥのための第２のＰＤＳＣＨのリソースと実質的に整合されたリソースを備える、構成することと、
前記第１のＰＤＳＣＨを送信することとを行うようにさらに構成される、Ｃ１７に記載の第１の送信ポイント。
[Ｃ２５]  前記第１のＤＬ制御チャネルは、前記第２の送信ポイントによってサービスされている前記少なくとも１つのＵＥのための第２の物理ダウンリンク共有チャネル（ＰＤＳＣＨ）に干渉する第１のＰＤＳＣＨに対応する、Ｃ１７に記載の第１の送信ポイント。
[Ｃ２６]  前記少なくとも１つのプロセッサは、前記第２の送信ポイントによってサービスされている前記少なくとも１つのＵＥが、前記第１の送信ポイントによってサービスされている前記ＵＥの第１の物理ダウンリンク共有チャネル（ＰＤＳＣＨ）からの干渉を受けるかどうかを決定するようにさらに構成される、Ｃ１７に記載の第１の送信ポイント。
[Ｃ２７]  前記少なくとも１つのプロセッサは、前記第２の送信ポイントによってサービスされている前記少なくとも１つのＵＥが、前記第１の送信ポイントによってサービスされている前記ＵＥのための前記第１のＤＬ制御チャネルを復号する能力を備えると決定するようにさらに構成される、Ｃ１７に記載の第１の送信ポイント。
[Ｃ２８]  前記第１のＤＬ制御チャネルは拡張物理ダウンリンク制御チャネル（ＥＰＤＣＣＨ）であり、前記構成することは、前記第１の送信ポイントによってサービスされている前記ＵＥの第１の探索空間を、前記第２の送信ポイントによってサービスされている前記少なくとも１つのＵＥの第２の探索空間と同じであるように構成することを備える、Ｃ１７に記載の第１の送信ポイント。
[Ｃ２９]  前記第１のＤＬ制御チャネルは拡張物理ダウンリンク制御チャネル（ＥＰＤＣＣＨ）であり、前記構成することは、前記第２の送信ポイントによって使用される第２の仮想セル識別情報（ＶＣＩＤ）と同じである第１のＶＣＩＤを用いて送信されるように前記ＥＰＤＣＣＨを構成することを備える、Ｃ１７に記載の第１の送信ポイント。
[Ｃ３０]  ワイヤレス通信のためのユーザ機器（ＵＥ）であって、
メモリと、
前記メモリに結合されて、
サービング送信ポイントと通信し、
干渉送信ポイントからの第１のダウンリンク（ＤＬ）制御チャネルを復号するように構成され、前記第１のＤＬ制御チャネルは、前記ＵＥによる前記第１のＤＬ制御チャネルの前記復号を可能にするものである、少なくとも１つのプロセッサとを備える、ＵＥ。
【図１】
0006522632.tif 000002
【図２】
0006522632.tif 000003
【図３】
0006522632.tif 000004
【図４】
0006522632.tif 000005
【図５】
0006522632.tif 000006
【図６】
0006522632.tif 000007
【図７】
0006522632.tif 000008
【図８】
0006522632.tif 000009
【図９】
0006522632.tif 000010
【図１０】
0006522632.tif 000011
【図１１】
0006522632.tif 000012
【図１２】
0006522632.tif 000013
【図１３】
0006522632.tif 000014
【図１４】
0006522632.tif 000015
【図１５】
0006522632.tif 000016
【図１６】
0006522632.tif 000017